(57)【要約】【課題】着実に緊急通報を行える緊急通報装置及びインターホン装置を提供する。【解決手段】  電話回線に接続され、固定電話機に接続される室内親機と、緊急通報ボタンを備えて室内親機に緊急通報信号を出力する室内子機と、を備えるインターホン装置において、室内親機に、緊急時の連絡先である連絡先端末の電話番号を記憶する記憶部３６と、固定電話機との間で電話回線への接続を切り替える切替部３１と、着信を検出する着信検出部３０と、着信検出部３０により着信が検出された場合に、切替部３１を制御して、電話回線の接続を室内親機側に切り替えて電話回線に接続した後、電話回線を遮断し、再び電話回線に接続する接続制御手段（ＣＰＵ３４，接続制御プログラム３６Ｂ）と、当該接続制御の後に、記憶部３６に記憶された電話番号への通話動作を行って連絡先端末に緊急通報を行う通報制御手段（ＣＰＵ３４，緊急通報プログラム３６Ｃ）と、を備えた。【選択図】図２
2007079798.tif 000002
【特許請求の範囲】
【請求項１】
電話回線に接続され、固定電話機に接続される室内親機及び当該室内親機と接続される室内子機とを備えるインターホン装置において、
前記室内子機は、
前記室内親機に緊急通報信号を出力する出力手段を備え、
前記室内親機は、
緊急時の連絡先である連絡先端末の電話番号を記憶する記憶手段と、
前記固定電話機との間で前記電話回線への接続を切り替える切替手段と、
着信を検出する検出部と、
前記検出部により着信が検出された場合に、前記切替手段を制御して、前記電話回線の接続を当該室内親機側に切り替えて電話回線に接続した後、電話回線を遮断し、再び電話回線に接続する接続制御手段と、
前記接続制御手段による接続制御の後に、前記記憶手段に記憶された電話番号への通話動作を行って前記連絡先端末に所定の緊急通報を行う通報制御手段と、
を備えることを特徴とするインターホン装置。
【請求項２】
電話回線に接続され、固定電話機及び通報端末と接続される緊急通報装置において、
緊急時における連絡先の連絡先端末の電話番号を記憶する記憶手段と、
前記通報端末からの緊急通報信号の入力に基づいて、電話回線に接続した後、電話回線を遮断し、再び電話回線に接続する接続制御手段と、
前記接続制御手段による接続制御の後に、前記記憶手段に記憶された電話番号への通話動作を行って前記連絡先端末に所定の緊急通報を行う通報制御手段と、
を備えることを特徴とする緊急通報装置。
【請求項３】
前記固定電話機との間で前記電話回線への接続を切り替える切替手段を備え、
前記接続制御手段は、
前記通報端末から緊急通報信号が入力された場合に、前記切替手段を制御して、前記電話回線の接続を当該緊急通報装置側に切り替えることを特徴とする請求項２に記載の緊急通報装置。
【請求項４】
着信を検出する検出部を備え、
前記接続制御手段は、
前記検出部により着信が検出された場合に実行されることを特徴とする請求項２又は３に記載の緊急通報装置。
【発明の詳細な説明】
【技術分野】
【０００１】
本発明は、緊急通報装置及びインターホン装置に関する。
【背景技術】
【０００２】
従来、インターホン装置の室内子機及び室内親機に接続された緊急通報装置において、室内子機と室内親機との間の接続状況（例えば、待受時，呼出時，通話時など）を検出するものが知られている（例えば、特許文献１）。
【特許文献１】特開２０００−０２０８５９号公報
【発明の開示】
【発明が解決しようとする課題】
【０００３】
ところで、電話回線に接続された室内親機と、当該室内親機と接続されるとともに緊急通報ボタンが設けられた室内子機と、を備えるインターホン装置において、当該緊急通報ボタンが押下されて室内親機を介して緊急通報先に通報がなされる際に、外部から着信があると、当該着信と接続されて緊急通報ができないという問題があった。特許文献１記載の発明は、室内子機と室内親機との間の接続状況を検出するものであるため、当該問題を解決することはできない。
【０００４】
本発明の課題は、着実に緊急通報を行える緊急通報装置及びインターホン装置を提供することである。
【課題を解決するための手段】
【０００５】
請求項１に記載の発明は、電話回線に接続され、固定電話機に接続される室内親機及び当該室内親機と接続される室内子機とを備えるインターホン装置において、
前記室内子機は、
前記室内親機に緊急通報信号を出力する出力手段を備え、
前記室内親機は、
緊急時の連絡先である連絡先端末の電話番号を記憶する記憶手段と、
前記固定電話機との間で前記電話回線への接続を切り替える切替手段と、
着信を検出する検出部と、
前記検出部により着信が検出された場合に、前記切替手段を制御して、前記電話回線の接続を当該室内親機側に切り替えて電話回線に接続した後、電話回線を遮断し、再び電話回線に接続する接続制御手段と、
前記接続制御手段による接続制御の後に、前記記憶手段に記憶された電話番号への通話動作を行って前記連絡先端末に所定の緊急通報を行う通報制御手段と、
を備えることを特徴としている。
【０００６】
請求項２に記載の発明は、電話回線に接続され、固定電話機及び通報端末と接続される緊急通報装置において、
緊急時における連絡先の連絡先端末の電話番号を記憶する記憶手段と、
前記通報端末からの緊急通報信号の入力に基づいて、電話回線に接続した後、電話回線を遮断し、再び電話回線に接続する接続制御手段と、
前記接続制御手段による接続制御の後に、前記記憶手段に記憶された電話番号への通話動作を行って前記連絡先端末に所定の緊急通報を行う通報制御手段と、
を備えることを特徴としている。
【０００７】
請求項３に記載の発明は、請求項２に記載の緊急通報装置において、
前記固定電話機との間で前記電話回線への接続を切り替える切替手段を備え、
前記接続制御手段は、
前記通報端末から緊急通報信号が入力された場合に、前記切替手段を制御して、前記電話回線の接続を当該緊急通報装置側に切り替えることを特徴としている。
【０００８】
請求項４に記載の発明は、請求項２又は３に記載の緊急通報装置において、
着信を検出する検出部を備え、
前記接続制御手段は、
前記検出部により着信が検出された場合に実行されることを特徴としている。
【発明の効果】
【０００９】
請求項１に記載の発明によれば、記憶手段により、緊急時における連絡先の連絡先端末の電話番号が記憶され、接続制御手段により、室内子機からの緊急通報信号の入力に基づいて、電話回線に接続された後、電話回線が遮断され、再び電話回線に接続される接続制御がなされ、接続制御手段による接続制御の後に、通報制御手段により、記憶手段に記憶された電話番号への通話動作が行われて連絡先端末に所定の緊急通報が行われるので、連絡先端末に緊急通報を行う際に外部から着信があっても、接続制御により当該着信が切断されることとなって、着実に緊急通報を行うことができる。
【００１０】
また、接続制御手段により、室内子機から緊急通報信号が入力された場合に、切替手段が制御されて、電話回線の接続を当該室内親機側に切り替えられるので、切替手段により容易に電話回線の接続切替を行うことができる。
【００１１】
また、検出部により着信が検出され、接続制御手段により、検出部により着信が検出された場合にのみ、接続制御が実行されるので、着信がない場合には接続制御がなされないこととなって、無駄に接続制御することを省くことができる。
【００１２】
請求項２に記載の発明によれば、記憶手段により、緊急時における連絡先の連絡先端末の電話番号が記憶され、接続制御手段により、通報端末からの緊急通報信号の入力に基づいて、電話回線に接続された後、電話回線が遮断され、再び電話回線に接続される接続制御がなされ、接続制御手段による接続制御の後に、通報制御手段により、記憶手段に記憶された電話番号への通話動作が行われて連絡先端末に所定の緊急通報が行われるので、連絡先端末に緊急通報を行う際に外部から着信があっても、接続制御により当該着信が切断されることとなって、着実に緊急通報を行うことができる。
【００１３】
請求項３に記載の発明によれば、請求項２記載の発明と同様の効果が得られるのは勿論のこと、特に、接続制御手段により、通報端末から緊急通報信号が入力された場合に、切替手段が制御されて、電話回線の接続を当該緊急通報装置側に切り替えられるので、切替手段により容易に電話回線の接続切替を行うことができる。
【００１４】
請求項４に記載の発明によれば、請求項２又は３に記載の発明と同様の効果が得られるのは勿論のこと、特に、検出部により着信が検出され、接続制御手段により、検出部により着信が検出された場合にのみ、接続制御が実行されるので、着信がない場合には接続制御がなされないこととなって、無駄に接続制御することを省くことができる。
【発明を実施するための最良の形態】
【００１５】
以下、図を参照して、本発明に係る緊急通報装置及びインターホン装置を実施するための最良の形態を詳細に説明する。
【００１６】
本発明に係るインターホン装置１は、例えば、図１に示すように、電話回線Ｔを介して連絡先端末２と接続されている。なお、図１においては、インターホン装置１と連絡先端
末２とが１対１で接続される場合を示したが、これに限られるものではなく、例えば、複数台の連絡先端末２に１台のインターホン装置１が接続されてもよい。
【００１７】
インターホン装置１は、例えば、図１に示すように、電話回線Ｔに接続される緊急通報装置としての室内親機３及び当該室内親機３と接続される通報端末としての室内子機４等を備えて構成されている。また、固定電話機５は、室内親機３を介して、電話回線Ｔに接続されている。
【００１８】
室内子機４は、例えば、無線通信により室内親機３と接続されている。また、室内子機４は、例えば、出力手段としての緊急通報ボタン４Ａ等を備えており、当該緊急通報ボタン４Ａが押下されることにより、緊急通報信号を室内親機３に対して出力する。
【００１９】
室内親機３は、例えば、図１，図２に示すように、検出部としての着信検出部３０，切替手段としての切替部３１，無線通信部３２，操作部３３，ＣＰＵ（Central  Processing  Unit）３４，ＲＡＭ（Random  Access  Memory）３５，記憶部３６等を備えて構成さ
れる。
【００２０】
着信検出部３０は、例えば、着信検出回路等を備えて構成され、回線電流の電圧を検出することにより、当該インターホン装置１に電話がかかってきているか否か（即ち、着信があるか否か）を検出する。より具体的には、当該インターホン装置１に電話がかかってきている時（以下、「呼出時」と称する）とかかってきていない時（以下、「待受時」と称する）との回線電流の電圧の違いから着信を検出し、検出信号をＣＰＵ３４に出力する。
【００２１】
切替部３１は、例えば、図１に示すように、固定電話機５と接続されるＡ端子３１Ａ，Ｂ端子３１Ｂ，Ａ端子３１ＡとＢ端子３１Ｂの間で電話回線Ｔとの接続を切り替えるスイッチ３１Ｃ等を備えて構成されている。そして、切替部３１は、ＣＰＵ３４が後述する接続制御プログラム３６Ｂを実行することにより、制御されて、電話回線Ｔの接続をＡ端子３１ＡからＢ端子３１Ｂへと切り替えることにより、電話回線Ｔの接続を室内親機３側へ切り替える。なお、待受時においては、Ａ端子３１Ａが電話回線Ｔへ接続されており、固定電話機５の受話器がオフフックされない限り、通話状態とはならないようになっている。
【００２２】
無線通信部３２は、例えば、ＲＦモジュール等を備えて構成され、室内子機４と無線通信を行う。
【００２３】
操作部３３は、例えば、テンキー（図示省略），操作キー等を備えて構成され、これらキーがユーザに押下されることにより、各種操作信号，設定条件情報等をＣＰＵ３４に出力する。
【００２４】
ＣＰＵ３４は、記憶部３６に格納された処理プログラム等を読み出して、ＲＡＭ３５に展開して実行することにより、インターホン装置１全体の制御を行う。
【００２５】
ＲＡＭ３５は、ＣＰＵ３４により実行された処理プログラム等を、ＲＡＭ３５内のプログラム格納領域に展開するとともに、入力データや上記処理プログラムが実行される際に生じる処理結果等をデータ格納領域に格納する。
【００２６】
記憶部３６は、例えば、プログラムやデータ等が予め記憶されている記録媒体（図示せず）を有しており、この記録媒体は、例えば、半導体メモリ等で構成されている。また、記憶部３６は、ＣＰＵ３４がインターホン装置１全体を制御する機能を実現させるための
各種データ，各種処理プログラム，これらプログラムの実行により処理されたデータ等を記憶する。より具体的には、記憶部３６は、例えば、図２に示すように、連絡先電話番号データ３６Ａ，接続制御プログラム３６Ｂ，緊急通報プログラム３６Ｃ等を格納している。
【００２７】
連絡先電話番号データ３６Ａは、緊急時における連絡先の連絡先端末２の電話番号の情報である。緊急時における連絡先の電話番号としては、例えば、ユーザの携帯電話等の電話番号，勤務先電話番号，介護センターの電話番号，掛かり付けの病院の電話番号，警備会社の電話番号等が挙げられる。記憶部３６は、連絡先電話番号データ３６Ａを記憶することにより、記憶手段として機能する。
【００２８】
接続制御プログラム３６Ｂは、例えば、ＣＰＵ３４に、室内子機４から緊急通報信号が入力された場合に、切替部３１を制御して、電話回線Ｔの接続を室内親機３側に切り替えて電話回線Ｔに接続するとともに、室内子機４から緊急通報信号が入力され、且つ、着信検出部３０により着信が検出された場合に、切替部３１を制御して、電話回線Ｔの接続を室内親機３側に切り替えて電話回線Ｔに接続した後、電話回線Ｔを遮断し、再び電話回線Ｔに接続する接続制御を行う機能を実現させるプログラムである。
【００２９】
より具体的には、接続制御プログラム３６Ｂは、例えば、ＣＰＵ３４に、室内子機４から緊急通報信号が入力され、着信検出部３０により着信が検出された場合に、切替部３１を制御して、Ａ端子３１ＡからＢ端子３１Ｂへと電話回線Ｔの接続を切り替えさせることにより、電話回線Ｔの接続を室内親機３側に切り替え（オフフック）し、さらに、着信検出部３０により着信が検出された場合に、電話回線Ｔと室内親機３との接続をいったん遮断し（オンフック）、再び室内親機３を電話回線Ｔに接続する（オフフック）接続制御を行う機能を実現させるプログラムである。ＣＰＵ３４は、かかる接続制御プログラム３６Ｂを実行することにより、接続制御手段として機能する。
【００３０】
緊急通報プログラム３６Ｃは、例えば、ＣＰＵ３４に、記憶部３６に連絡先電話番号データ３６Ａとして記憶された電話番号への通話動作を行って、連絡先端末２に所定の緊急通報を行う機能を実現させるプログラムである。所定の緊急通報は、例えば、予め記憶部３６に記憶された「緊急です」等の音声であってもよいし、アラーム音等であってもよい。ＣＰＵ３４は、かかる緊急通報プログラム３６Ｃを実行することにより、通報制御手段として機能する。
【００３１】
次に、上述のような構成のインターホン装置１における動作を図３に示すフローチャートを参照しながら説明する。
【００３２】
まず、室内子機４の緊急通報ボタン４Ａが押下されて、緊急通報信号が入力されると（ステップＳ１）、ＣＰＵ３４は、着信検出部３０から入力される検出信号の有無に基づいて、インターホン装置１に着信があるか否かを判断する（ステップＳ２）。
【００３３】
ステップＳ２において、ＣＰＵ３４が、着信がないと判断した場合には（ステップＳ２；Ｎｏ）、ＣＰＵ３４は、接続制御プログラム３６Ｂを実行することにより、切替部３１を制御し、Ａ端子３１ＡからＢ端子３１Ｂへ電話回線Ｔの接続を切り替えることにより、電話回線Ｔの接続を室内親機３に切り替え、オフフックし（ステップＳ３）、ステップＳ７に進む。
【００３４】
ステップＳ２において、ＣＰＵ３４が、着信があると判断した場合には（ステップＳ２；Ｙｅｓ）、ＣＰＵ３４は、接続制御プログラム３６Ｂを実行することにより、切替部３１を制御し、Ａ端子３１ＡからＢ端子３１Ｂへ電話回線Ｔの接続を切り替えることにより、電話回線Ｔの接続を室内親機３に切り替え、オフフックする（ステップＳ４）。
【００３５】
次に、ＣＰＵ３４は、接続制御プログラム３６Ｂの実行に基づいて、室内親機３と電話
回線Ｔとの接続を遮断し、オンフックする（ステップＳ５）。
【００３６】
次に、ＣＰＵ３４は、接続制御プログラム３６Ｂの実行に基づいて、室内親機３を電話回線Ｔに接続し、オフフックする（ステップＳ６）。
【００３７】
次に、ＣＰＵ３４は、緊急通報プログラム３６Ｃを実行することにより、連絡先端末２の電話番号への通話動作を行って、所定の緊急通報を行い（ステップＳ７）、本処理を終了する。
【００３８】
以上に説明した、本発明に係るインターホン装置１及び室内親機３によれば、記憶部３６により、連絡先電話番号データ３６Ａとして、緊急時における連絡先の連絡先端末２の電話番号が記憶され、ＣＰＵ３４が接続制御プログラム３６Ｂを実行することにより、室内子機４からの緊急通報信号の入力に基づいて、電話回線Ｔに接続された後、電話回線Ｔが遮断され、再び電話回線Ｔに接続される接続制御がなされ、当該接続制御の後に、ＣＰＵ３４が緊急通報プログラム３６Ｃを実行することにより、記憶部３６に連絡先電話番号データ３６Ａとして記憶された電話番号への通話動作が行われて連絡先端末２に所定の緊急通報が行われるので、連絡先端末２に緊急通報を行う際に外部から着信があっても、接続制御により当該着信が切断されることとなって、着実に緊急通報を行うことができる。
【００３９】
また、ＣＰＵ３４が接続制御プログラム３６Ｂを実行することにより、室内子機４から緊急通報信号が入力された場合に、切替部３１が制御されて、電話回線Ｔの接続を当該室内親機３側に切り替えられるので、切替部３１により容易に電話回線Ｔの接続切替を行うことができる。
【００４０】
また、着信検出部３０により着信が検出され、ＣＰＵ３４が接続制御プログラム３６Ｂを実行することにより、着信検出部３０により着信が検出された場合にのみ、接続制御が実行されるので、着信がない場合には接続制御がなされないこととなって、無駄に接続制御することを省くことができる。
【００４１】
なお、本実施形態では、ＣＰＵ３４が接続制御プログラム３６Ｂを実行することにより、着信検出部３０により着信が検出された場合にのみ、接続制御が行われることとしたが、着信が検出されたか否かに関わらず、室内子機４から緊急通報信号が入力された場合には常に接続制御が行われるようにしてもよい。
【００４２】
また、本実施形態では、通報端末として室内親機３と無線通信により接続される室内子機４を例示して説明したが、これに限られるものではなく、室内親機３と接続されるものであればなんであってもよく、例えば通話機能を有するインターホン子機，ドアホン等であってもよい。
【図面の簡単な説明】
【００４３】
【図１】本発明に係るインターホン装置と連絡先端末の接続を説明する図である。
【図２】本発明に係る室内親機の要部構成を示すブロック図である。
【図３】本発明に係るインターホン装置の動作を説明するフローチャートである。
【符号の説明】
【００４４】
１  インターホン装置
２  連絡先端末
３  室内親機（緊急通報装置）
３０  着信検出部（検出部）
３１  切替部（切替手段）
３４  ＣＰＵ（接続制御手段，通報制御手段）
３６  記憶部（記憶手段）
３４Ａ  連絡先電話番号データ（記憶手段）
３４Ｂ  接続制御プログラム（接続制御手段）
３４Ｃ  緊急通報プログラム（通報制御手段）  
４  室内子機（通報端末）
４Ａ  緊急通報ボタン（出力手段）
５  固定電話機
Ｔ  電話回線
【図１】
2007079798.tif 000003
【図２】
2007079798.tif 000004
【図３】
2007079798.tif 000005